(57)【特許請求の範囲】
【請求項１】
一対の吊枠と、前記吊枠間に接続されている上枠と、前記上枠の下方で前記吊枠間に接続されている下枠とを有している枠体、
積層された複数の積層おもりを有しており、前記枠体内に保持されている積層おもり体、及び
前記積層おもりの浮き上がりを防止する積層おもり押さえ具
を備え、
前記積層おもり押さえ具は、前記上枠に固定される上枠固定部と、前記上枠固定部に取り付けられており、前記積層おもり体の上面に接して前記積層おもりの浮き上がりを防止するストッパ部とを有しており、
前記上枠固定部は、前記上枠に接する第１の取付金と、固定具により前記第１の取付金に固定されることにより、前記第１の取付金との間に前記上枠を挟み込む第２の取付金とを有しており、
前記第１の取付金は、前記上枠の上面に接する第１の取付金水平部と、前記第１の取付金水平部から下方へ突出し、前記上枠の前面及び後面に接する一対の第１の取付金垂直部とを有しており、
前記第２の取付金は、前記上枠の下面に接する第２の取付金水平部を有しているエレベータの釣合おもり装置。
【請求項２】
前記ストッパ部の前記上枠固定部への取付位置が上下方向に調整可能になっている請求項１記載のエレベータの釣合おもり装置。
【請求項３】
前記ストッパ部は、
前記上枠固定部に取り付けられている第３の取付金と、
前記第３の取付金を貫通しており、かつ前記第３の取付金から下方への突出量が調整可能になっているストッパボルトと
を有している請求項１又は請求項２に記載のエレベータの釣合おもり装置。
【請求項４】
複数の積層おもりを有する積層おもり体を内側に保持する枠体に取り付けられ、前記積層おもりの浮き上がりを防止するエレベータの釣合おもり装置の積層おもり押さえ具であって、
前記枠体の上枠に固定される上枠固定部、及び
前記上枠固定部に取り付けられており、前記積層おもり体の上面に接して前記積層おもりの浮き上がりを防止するストッパ部
を備え、
前記上枠固定部は、前記上枠に接する第１の取付金と、固定具により前記第１の取付金に固定されることにより、前記第１の取付金との間に前記上枠を挟み込む第２の取付金とを有しており、
前記第１の取付金は、前記上枠の上面に接する第１の取付金水平部と、前記第１の取付金水平部から下方へ突出し、前記上枠の前面及び後面に接する一対の第１の取付金垂直部とを有しており、
前記第２の取付金は、前記上枠の下面に接する第２の取付金水平部を有しているエレベータの釣合おもり装置の積層おもり押さえ具。
【発明の詳細な説明】
【技術分野】
【０００１】
この発明は、枠体内に複数の積載おもりが積載されているエレベータの釣合おもり装置、及びその積層おもり押さえ具に関するものである。
【背景技術】
【０００２】
従来のエレベータの釣合おもり装置では、第１及び第２の吊枠と、第１及び第２の吊枠の上端部間に接続されている上枠と、第１及び第２の吊枠の下端部間に接続されている下枠とにより、枠体が構成されている。枠体内には、複数の積層おもりが積層されて保持されている。最上段に重ねられた積層おもりは、第１及び第２の吊枠に挿入され固定された固定金具により上面から押さえられている（例えば、特許文献１参照）。
【０００３】
従来の他の釣合おもり装置では、全ての積層おもりを一対の通しボルトが貫通している。通しボルトには、積層おもりの浮き上がりを防止する押さえ板が固定されている（例えば、特許文献２参照）。
【先行技術文献】
【特許文献】
【０００４】
【特許文献１】特開平１１−６０１１３号公報
【特許文献２】特開平７−３１５７２５号公報
【発明の概要】
【発明が解決しようとする課題】
【０００５】
近年、エレベータの改修時に、釣合おもり装置の耐震性の強化を要求される場合がある。耐震性の強化方法の１つとして、積層おもりの浮き上がりを防止するためのストッパを釣合おもり装置に追加する方法がある。
【０００６】
これに対して、特許文献１に示された固定金具を既設の吊枠に追加する場合、既設の吊枠に固定金具を固定するための加工を施す必要がある。しかし、釣合おもり装置と昇降路壁との間のスペースは狭く、工具を入れるスペースが確保できない場合が多い。このため、既設の吊枠に追加加工を施すためには、上枠及び下枠からガイドシューを外して、釣合おもり装置を水平方向へ捻り、加工スペースを確保する必要が生じ、多大な手間がかかる。また、積層おもりの量を変更する場合には、ストッパの位置を変更するために、新たな追加加工を施す必要が生じる。
【０００７】
また、特許文献２に示された押さえ板は、通しボルトに取り付けられているため、通しボルトを通すための孔が積層おもりに設けられていない既設の釣合おもり装置に適用することは困難である。
【０００８】
この発明は、上記のような課題を解決するためになされたものであり、積層おもりの浮き上がり防止機能を容易に追加することができるエレベータの釣合おもり装置、及びその積層おもり押さえ具を得ることを目的とする。
【課題を解決するための手段】
【０００９】
この発明に係るエレベータの釣合おもり装置は、一対の吊枠と、吊枠間に接続されている上枠と、上枠の下方で吊枠間に接続されている下枠とを有している枠体、積層された複数の積層おもりを有しており、枠体内に保持されている積載おもり体、及び積層おもりの浮き上がりを防止する積層おもり押さえ具を備え、積層おもり押さえ具は、上枠に固定される上枠固定部と、上枠固定部に取り付けられており、積層おもり体の上面に接して積層おもりの浮き上がりを防止するストッパ部とを有しており、上枠固定部は、上枠に接する第１の取付金と、固定具により第１の取付金に固定されることにより、第１の取付金との間に上枠を挟み込む第２の取付金とを有している。
【発明の効果】
【００１０】
この発明のエレベータの釣合おもり装置は、第２の取付金を固定具により第１の取付金に固定することにより、第１の取付金と第２の取付金との間に上枠を挟み込み、これにより積層おもり押さえ具の上枠固定部を上枠に固定するので、積層おもりの浮き上がり防止機能を容易に追加することができる。
【図面の簡単な説明】
【００１１】
【図１】この発明の実施の形態１によるエレベータを示す側面図である。
【図２】図１の釣合おもり装置を示す正面図である。
【図３】図２の積層おもり押さえ具を示す正面図である。
【図４】図３のＩＶ−ＩＶ線に沿う断面図である。
【図５】図３の積層おもり押さえ具を分解して示す正面図である。
【図６】図５の積層おもり押さえ具を示す側面図である。
【発明を実施するための形態】
【００１２】
以下、この発明を実施するための形態について、図面を参照して説明する。
実施の形態１．
図１はこの発明の実施の形態１によるエレベータを示す側面図である。図において、昇降路１の上部には、機械室２が設けられている。機械室２内には、機械台３が設置されている。機械台３上には、巻上機４が支持されている。巻上機４は、駆動シーブ５及び巻上機本体６を有している。巻上機本体６は、駆動シーブ５を回転させる巻上機モータと、駆動シーブ５の回転を制動する巻上機ブレーキとを有している。
【００１３】
機械台３には、そらせ車７が取り付けられている。駆動シーブ５及びそらせ車７には、懸架体８が巻き掛けられている。懸架体８としては、例えば、複数本のロープ又は複数本のベルトが用いられている。
【００１４】
懸架体８の第１の端部には、かご９が接続されている。懸架体８の第２の端部には、釣合おもり装置１０が接続されている。かご９及び釣合おもり装置１０は、懸架体８により昇降路１内に吊り下げられており、巻上機４の駆動力により昇降路１内を昇降する。
【００１５】
昇降路１内には、かご９の昇降を案内する一対のかごガイドレール１１と、釣合おもり装置１０の昇降を案内する一対の釣合おもりガイドレール１２とが設置されている。
【００１６】
かご９は、懸架体８が接続されたかご枠１３と、かご枠１３に支持されているかご室１４とを有している。
【００１７】
図２は図１の釣合おもり装置１０を示す正面図である。釣合おもり装置１０は、金属製の枠体２１と、枠体２１内に保持されている積層おもり体２２と、枠体２１の上端部の幅方向（図２の左右方向）両端部に取り付けられている一対の上部ガイドシュー２３と、枠体２１の下端部の幅方向両端部に取り付けられている一対の下部ガイドシュー２４と、枠体２１の上端部に取り付けられている２組の積層おもり押さえ具２５とを有している。
【００１８】
枠体２１は、釣合おもり装置１０の幅方向の両側に垂直に配置された一対の吊枠（縦枠）２６と、吊枠２６間に接続されている断面コ字形の上枠２７と、上枠２７の下方で吊枠２６間に接続されている断面コ字形の下枠２８とを有している。上枠２７は、吊枠２６の上端部間に接続されている。下枠２８は、吊枠２６の下端部間に接続されている。また、上枠２７及び下枠２８は、互いに平行かつ水平に配置されている。
【００１９】
懸架体８は、上枠２７に接続されている。積層おもり体２２は、上下方向に積層された複数の積層おもり２９を有している。上部ガイドシュー２３は、上枠２７の両端部に固定されている。下部ガイドシュー２４は、下枠２８の両端部に固定されている。
【００２０】
積層おもり押さえ具２５は、上枠２７に取り付けられており、積層おもり２９の浮き上がりを防止する。また、各積層おもり押さえ具２５は、上枠２７に固定される上枠固定部３１と、上枠固定部３１に取り付けられており、積層おもり体２２の上面に接して積層おもり２９の浮き上がりを防止するストッパ部３２とを有している。
【００２１】
図３は図２の積層おもり押さえ具２５を示す正面図、図４は図３のＩＶ−ＩＶ線に沿う断面図、図５は図３の積層おもり押さえ具２５を分解して示す正面図、図６は図５の積層おもり押さえ具２５を示す側面図である。
【００２２】
上枠固定部３１は、上枠２７の上面、前面及び後面に接する断面コ字形の第１の取付金３３と、複数の固定具３４により第１の取付金３３に固定されている第２の取付金３５とを有している。各固定具３４としては、ボルト及びナットの組み合わせが用いられている。
【００２３】
第１の取付金３３は、上枠２７の上面に接する平板状の第１の取付金水平部３３ａと、第１の取付金水平部３３ａから下方へ直角に突出し互いに対向する一対の平板状の第１の取付金垂直部３３ｂとを有している。第１の取付金垂直部３３ｂは、上枠２７の前面及び後面に接している。
【００２４】
第２の取付金３５は、第１の取付金３３に固定されることにより、第１の取付金３３との間に上枠２７を挟み込んでいる。これにより、上枠固定部３１が上枠２７に固定されている。
【００２５】
また、第２の取付金３５は、上枠２７の下面に接する平板状の第２の取付金水平部３５ａと、第２の取付金水平部３５ａから下方へ直角に突出し互いに対向する一対の平板状の第２の取付金垂直部３５ｂと、第２の取付金水平部３５ａから上方へ直角に突出し互いに対向する一対の平板状の挿入部３５ｃとを有している。各挿入部３５ｃは、矩形であり、上枠２７の内側に挿入されている。
【００２６】
ストッパ部３２は、第２の取付金垂直部３５ｂに取り付けられている断面コ字形の第３の取付金３６と、第３の取付金３６に取り付けられている複数本のストッパボルト３７（図５、６では省略）とを有している。
【００２７】
第３の取付金３６は、下端に位置する水平な平板状のボルト取付部３６ａと、ボルト取付部３６ａの両端から上方へ直角に突出し互いに対向する一対の平板状の第３の取付金垂直部３６ｂとを有している。
【００２８】
各ストッパボルト３７は、ボルト取付部３６ａを貫通している。また、各ストッパボルト３７は、ボルト取付部３６ａに設けられたナット又はねじ孔と組み合わされている。そして、ナット又はねじ孔へのねじ込み量を調整することにより、ボルト取付部３６ａから下方への各ストッパボルト３７の突出量が調整可能になっている。このような突出量の調整により、各ストッパボルト３７の下端部は、積層おもり体２２の上面に当たっている。
【００２９】
各第３の取付金垂直部３６ｂは、複数の固定具３８により、対応する第２の取付金垂直部３５ｂに固定されている。各固定具３８としては、ボルト及びナットの組み合わせが用いられている。各第２の取付金垂直部３５ｂには、固定具３８を通す複数の孔３５ｄ（図５）が上下方向に並べて設けられている。
【００３０】
各第３の取付金垂直部３６ｂには、固定具３８を通す複数の孔３６ｃ（図５）が上下方向に並べて設けられている。第３の取付金垂直部３６ｂの孔３６ｃの数は、第２の取付金垂直部３５ｂの孔３５ｄの数よりも多い。また、孔３６ｃの間隔は、孔３５ｄの間隔と同じである。
【００３１】
ストッパ部３２の上枠固定部３１への取付位置は、固定具３８を通す孔３６ｃを選択することにより、上下方向に調整可能になっている。
【００３２】
このような釣合おもり装置１０及び積層おもり押さえ具２５では、第２の取付金３５を固定具３４により第１の取付金３３に固定することにより、第１の取付金３３と第２の取付金３５との間に上枠２７を挟み込み、これにより上枠固定部３１を上枠２７に固定するので、枠体２１に孔加工等を施すことなく、積層おもり２９の浮き上がり防止機能を容易に追加することができ、釣合おもり装置１０の耐震性を強化することができる。
【００３３】
また、ストッパ部３２の上枠固定部３１への取付位置が上下方向に調整可能になっているので、積層おもり２９の積み込み量の変化に容易に対応することができる。
さらに、ストッパ部３２にストッパボルト３７が設けられており、第３の取付金３６から下方へのストッパボルト３７の突出量が調整可能になっているので、積層おもり体２２をより確実に押さえ付け、積層おもり２９の浮き上がりをより確実に防止することができる。
【００３４】
なお、上記の例では、２組の積層おもり押さえ具２５を用いたが、１つの釣合おもり装置１０に対して１組のみ又は３組以上の積層おもり押さえ具２５を用いてもよい。
また、上記の例では、ストッパボルト３７が積層おもり２９に直接接触しているが、最も上に位置する積層おもり２９の上に積層おもり体２２の一部を構成する別部品を載せ、その部品にストッパボルト３７が接触するようにしてもよい。
さらに、上記の例では、上枠固定部３１が上枠２７の上面、下面、前面及び後面に接しているが、上枠固定部３１を上枠２７に固定でき、かつ積層おもり２９の浮き上がりを防止できれば、上枠２７のいずれかの面と上枠固定部３１との間に隙間があってもよい。
さらにまた、エレベータ全体の機器のレイアウト及びローピング方式等は、図１の例に限定されるものではない。例えば、この発明は２：１ローピングのエレベータにも適用できる。
また、この発明の積層おもり押さえ具は、新設の釣合おもり装置にも適用できる。
さらに、この発明は、例えば機械室レスエレベータ、ダブルデッキエレベータ、又はワンシャフトマルチカー方式のエレベータなど、種々のタイプのエレベータの釣合おもり装置に適用できる。
【符号の説明】
【００３５】
１０  釣合おもり装置、２１  枠体、２２  積層おもり体、２５  積層おもり押さえ具、２６  吊枠、２７  上枠、２８  下枠、２９  積層おもり、３１  上枠固定部、３２  ストッパ部、３３  第１の取付金、３４  固定具、３５  第２の取付金、３６  第３の取付金、３７  ストッパボルト。
【図１】
0006345085.tif 000002
【図２】
0006345085.tif 000003
【図３】
0006345085.tif 000004
【図４】
0006345085.tif 000005
【図５】
0006345085.tif 000006
【図６】
0006345085.tif 000007